(57)【要約】【課題】二重容器の利点は残しつつ高い質感を得ることができる、外ケース付き二重容器を提供する。【解決手段】本発明の外ケース付き二重容器は、内容物を収容する減容変形可能な内層体４と、内層体４を内側に収めるとともに可撓性を有する胴部５ｃを有する外層体５と、内層体４に収容した内容物を注出する注出口１０ｃを有し外層体５の口部５ａに装着される注出キャップ６とを備える二重容器１において、外層体５を収容する外ケース２を備え、外ケース２は、胴部５ｃを押圧可能なボタン部１２ｃと、ボタン部１２ｃを外ケース２に対して弾性的に支持する連結部１２ｂとを備える。【選択図】図１
2018172153.tif 000002
【特許請求の範囲】
【請求項１】
内容物を収容する減容変形可能な内層体と、該内層体を内側に収めるとともに可撓性を有する胴部を有する外層体と、該内層体に収容した内容物を注出する注出口を有し該外層体の口部に装着される注出キャップとを備える二重容器において、
前記外層体を収容する外ケースを備え、該外ケースは、前記胴部を押圧可能なボタン部と、該ボタン部を該外ケースに対して弾性的に支持する連結部とを備える外ケース付き二重容器。
【請求項２】
前記外ケースは、有底筒状をなし上部開口から前記外層体を収容するとともに前記ボタン部を現出させる窓孔を有する本体カバーと、前記注出キャップを露出させる露出開口を有し該上部開口に装着されて該本体カバーとの間で該外層体を取り囲む上部カバーとを備える請求項１に記載の外ケース付き二重容器。
【請求項３】
前記外ケースは、有蓋筒状をなし、前記注出キャップを露出させる露出開口と前記ボタン部を現出させる窓孔とを有するとともに下部開口から前記外層体を収容する本体カバーと、該下部開口に装着されて該本体カバーとの間で該外層体を取り囲む下部カバーとを備える請求項１に記載の外ケース付き二重容器。
【請求項４】
前記外ケースは、前記本体カバーに収容される基部と、一端部が該基部に連結するとともに他端部が前記ボタン部に連結して前記連結部とした板状部とを有する操作部材を含む請求項２又は３に記載の外ケース付き二重容器。
【請求項５】
前記連結部は、前記ボタン部を前記窓孔から現出させた状態において、一端部が前記本体カバーに一体に連結するとともに他端部が該ボタン部に一体に連結するものである請求項２又は３に記載の外ケース付き二重容器。
【請求項６】
内容物を収容する減容変形可能な内層体と、該内層体を内側に収めるとともに可撓性を有する胴部を有する外層体と、該内層体に収容した内容物を注出する注出口を有し該外層体の口部に装着される注出キャップとを備える二重容器において、
前記外層体を収容する外ケースを備え、該外ケースは、前記胴部を押圧可能な窓孔を有する外ケース付き二重容器。
【請求項７】
内容物を収容する減容変形可能な内層体と、該内層体を内側に収めるとともに可撓性を有する胴部を有する外層体と、該内層体に収容した内容物を注出する注出口を有し該外層体の口部に装着される注出キャップとを備える二重容器と、前記外層体を収容する外ケースとを備える外ケース付き二重容器において、
前記胴部は、外側に向けて突出する凸部を有し、前記外ケースは、該凸部を現出させる窓孔を有する外ケース付き二重容器。
【発明の詳細な説明】
【技術分野】
【０００１】
本発明は、内容物を収容する内層体と、内層体を内側に収める外層体と、外層体の口部に装着される注出キャップとを備える二重容器において、更に外層体を収容する外ケースを備える、外ケース付き二重容器に関する。
【背景技術】
【０００２】
従来、内容物を注出可能な容器としては、例えば特許文献１に示されているような、内容物を収容する減容変形可能な内層体と可撓性を有する外層体とを備える二重容器（デラミ容器、積層剥離容器ともいう）が使用されている。このような二重容器は、外層体の胴部を押圧することによって外層体と内層体との間の内部空間が加圧され、これによって内層体の圧力が高まって内容物を注出させることができる。つまり、容器の姿勢にかかわらず、外層体を押圧すれば内層体の圧力が高まるため、使用者の使いやすい角度に容器を傾けて内容物を注出させることができる。また外層体への押圧を解除すれば、可撓性を有する外層体のみが復元して内層体は減容変形したままであるため、内層体への外気の侵入を防止することができる。すなわち、収容した内容物と外気との接触が極力避けられるため、内容物の品質劣化を抑えることができる。このような優れた利点を持つ二重容器は、調味料や化粧料をはじめとして各種の内容物を収容するのに好適であり、近年急速に普及が進んでいる。
【先行技術文献】
【特許文献】
【０００３】
【特許文献１】特開２０１５−１６３５２０号公報
【発明の概要】
【発明が解決しようとする課題】
【０００４】
ところで、収容する内容物が高価な場合など、内容物の種類や使用される環境によっては、高級感を持つ容器を使いたいとの要望がある。ここで容器の質感を高めるには、例えば容器の外側を着色したり金属成分を蒸着させたりする加飾を施すことが考えられるものの、前述の二重容器は外層体を押圧して内容物を注出するものであるため、押圧に伴う外層体の変形に対して影響を及ぼさないようにしなければならず、選択できる加飾が限定的になるという問題を抱えている。また、外層体に可撓性を持たせるには、外層体を比較的軟質の合成樹脂で形成したり、肉厚を薄くしたりしなければならないため、容器を持ったときにも変形しやすく、この点でも高級感が得られにくいという問題を抱えている。
【０００５】
本発明はこのような問題点を解決することを課題とするものであって、従来の二重容器の利点は残しつつ高い質感を得ることができる、外ケース付き二重容器を提供することを目的とする。
【課題を解決するための手段】
【０００６】
本発明は、内容物を収容する減容変形可能な内層体と、該内層体を内側に収めるとともに可撓性を有する胴部を有する外層体と、該内層体に収容した内容物を注出する注出口を有し該外層体の口部に装着される注出キャップとを備える二重容器において、
前記外層体を収容する外ケースを備え、該外ケースは、前記胴部を押圧可能なボタン部と、該ボタン部を該外ケースに対して弾性的に支持する連結部とを備える外ケース付き二重容器である。
【０００７】
前記外ケースは、有底筒状をなし上部開口から前記外層体を収容するとともに前記ボタン部を現出させる窓孔を有する本体カバーと、前記注出キャップを露出させる露出開口を有し該上部開口に装着されて該本体カバーとの間で該外層体を取り囲む上部カバーとを備えることが好ましい。
【０００８】
前記外ケースは、有蓋筒状をなし、前記注出キャップを露出させる露出開口と前記ボタン部を現出させる窓孔とを有するとともに下部開口から前記外層体を収容する本体カバーと、該下部開口に装着されて該本体カバーとの間で該外層体を取り囲む下部カバーとを備えることが好ましい。
【０００９】
前記外ケースは、前記本体カバーに収容される基部と、一端部が該基部に連結するとともに他端部が前記ボタン部に連結して前記連結部とした板状部とを有する操作部材を含むことが好ましい。
【００１０】
前記連結部は、前記ボタン部を前記窓孔から現出させた状態において、一端部が前記本体カバーに一体に連結するとともに他端部が該ボタン部に一体に連結するものであることが好ましい。
【００１１】
また本発明は、内容物を収容する減容変形可能な内層体と、該内層体を内側に収めるとともに可撓性を有する胴部を有する外層体と、該内層体に収容した内容物を注出する注出口を有し該外層体の口部に装着される注出キャップとを備える二重容器において、
前記外層体を収容する外ケースを備え、該外ケースは、前記胴部を押圧可能な窓孔を有する外ケース付き二重容器でもある。
【００１２】
また本発明は、内容物を収容する減容変形可能な内層体と、該内層体を内側に収めるとともに可撓性を有する胴部を有する外層体と、該内層体に収容した内容物を注出する注出口を有し該外層体の口部に装着される注出キャップとを備える二重容器と、前記外層体を収容する外ケースとを備える外ケース付き二重容器において、
前記胴部は、外側に向けて突出する凸部を有し、前記外ケースは、該凸部を現出させる窓孔を有する外ケース付き二重容器でもある。
【発明の効果】
【００１３】
本発明にあっては、外層体を収容する外ケースを備えていて、この外ケースは、外層体の胴部を押圧可能なボタン部と、このボタン部を外ケースに対して弾性的に支持する連結部とを備えている。このような構成によれば、ボタン部を介して外層体への押圧及び押圧解除を行うことができるため、従来の二重容器のように使いやすい角度で内容物を注出することができ、また内層体への外気の侵入が抑えられるため、内容物の品質劣化を抑制することができる。更に、ボタン部を押圧しても連結部のみが撓むだけなので、外ケースには様々な加飾を施すことが可能となり、高い質感を得ることができる。
【００１４】
また、外ケースに胴部を押圧可能な窓孔を設ける場合や、胴部から外側に向けて突出する凸部を設けるとともに、外ケースに凸部を現出させる窓孔を設ける場合は、上述したボタン部を省略することができるので、より安価にすることができる。
【図面の簡単な説明】
【００１５】
【図１】本発明に従う外ケース付き二重容器の第一実施形態を示す、側面視での半断面図である。
【図２】図１に示した外ケース付き二重容器の部分拡大図である。
【図３】図１に示すＡ−Ａに沿う半断面図である（オーバーキャップは省略）。
【図４】図１に示す外ケース付き二重容器の組立方法を説明する図である。
【図５】第一実施形態の変形例を示す、側面視での半断面図である。
【図６】図５に示すＢ−Ｂに沿う半断面図である（オーバーキャップは省略）。
【図７】図５に示す外ケース付き二重容器の組立方法を説明する図である。
【図８】本発明に従う外ケース付き二重容器の第二実施形態を示す、側面視での半断面図である。
【図９】図８に示した外ケース付き二重容器の部分拡大図である。
【図１０】図８に示すＣ−Ｃに沿う半断面図である（オーバーキャップは省略）。
【図１１】図８に示す外ケース付き二重容器の組立方法を説明する図である。
【図１２】第二実施形態の変形例を示す、側面視での半断面図である。
【図１３】図１２に示すＤ−Ｄに沿う半断面図である（オーバーキャップは省略）。
【図１４】図１２に示す外ケース付き二重容器の組立方法を説明する図である。
【図１５】本発明に従う外ケース付き二重容器の第三実施形態を、図６に対応させて示した図である。
【図１６】本発明に従う外ケース付き二重容器の第四実施形態を、図６に対応させて示した図である。
【発明を実施するための形態】
【００１６】
以下、図面を参照しながら本発明に従う外ケース付き二重容器の第一実施形態について説明する。なお、本明細書等における「上」、「下」は、図１に示すように本体カバー（符号１１）が下方に位置し、オーバーキャップ（符号３）が上方に位置する状態での向きをいう。
【００１７】
本実施形態の外ケース付き二重容器は、二重容器１、外ケース２、及びオーバーキャップ３を備えている。
【００１８】
まず二重容器１について説明する。本実施形態の二重容器１は、内層体４、外層体５、及び注出キャップ６で構成されている。また注出キャップ６は、中栓７、逆止弁８、注出キャップ本体９、ノズル１０で構成されている。
【００１９】
内層体４は、その内側に内容物を収容可能な充填空間Ｓを備えている。本実施形態の内層体４は、薄肉の合成樹脂製であって、減容変形可能に設けられている。
【００２０】
外層体５は、円筒状をなす口部５ａを備えている。口部５ａの下方には、下側に向かって丸みをもって拡径する肩部５ｂが連結していて、更に肩部５ｂの下方には、円筒状をなす胴部５ｃと、胴部５ｃの下端部を閉鎖する底部５ｄとが設けられている。ここで口部５ａは、図２に示すように口部５ａを貫く通気口５ｅを備えていて、内層体４と外層体５との相互間に形成される内部空間は、通気口５ｅに通じている。また口部５ａの外周面には、雄ねじ部５ｆが設けられている。なお、本実施形態の外層体５は合成樹脂製であって、胴部５ｃは可撓性を有している。
【００２１】
本実施形態における内層体４と外層体５は、相互に相溶性が低い合成樹脂を剥離可能に積層させたものである。内層体４を構成する合成樹脂としては、ナイロン樹脂（ＰＡ）、エチレンビニルアルコール共重合樹脂（ＥＶＯＨ）、変性ポリオレフィン樹脂（例えば三井化学株式会社製「アドマー」（登録商標）等）を採用することができる。また外層体５を構成する合成樹脂としては、例えば低密度ポリエチレン（ＬＤＰＥ）や高密度ポリエチレン樹脂（ＨＤＰＥ）をはじめとするポリエチレン樹脂（ＰＥ）の他、ポリプロピレン（ＰＰ）を採用することができる。このような内層体４と外層体５は、内層体４を形成する合成樹脂素材と外層体５を形成する合成樹脂素材とが積層されたパリソンを、ブロー成形することによって得ることができるが、他にも、内層体４の合成樹脂素材と外層体５の合成樹脂素材とを積層させた試験管状のプリフォームを準備し、このプリフォームを２軸延伸ブロー成形して形成することや、内層体及び外層体を個別に形成し、その後、内層体を外層体の内側に配置したものも用いることができる。また、図示は省略するが、内層体４と外層体５との間に、縦方向に延在して内層体４と外層体５とを部分的に接合する、１本或いは複数本の接着帯を設けてもよい。
【００２２】
中栓７は、図２に示すように口部５ａの上方に位置して充填空間Ｓを閉鎖する天壁７ａを備えている。天壁７ａの中央部分には、下端部に内向き鍔部を有する円筒状の筒状壁７ｂが設けられている。また天壁７ａの下面には、外層体５との間で内層体４を挟持する環状のシール壁７ｃが設けられている。そして天壁７ａの上面には、天壁７ａの外縁から起立する環状壁７ｄが設けられていて、天壁７ａと環状壁７ｄとの連結部には、外層体５の通気口５ｅに通じる連通口７ｅが設けられている。
【００２３】
逆止弁８は、中栓７に保持される基部８ａを備えている。本実施形態の基部８ａは、筒状壁７ｂの径方向内側と外側に位置する２つの筒状部分が、筒状壁７ｂの上部に位置するドーナツ板状部分に一体に連結した形態をなすものである。そして基部８ａの径方向内側には、基部８ａに弾性的に連結するとともに、筒状壁７ｂの内向き鍔部に着座して充填空間Ｓを閉鎖する円板状の注出弁８ｂが設けられている。また基部８ａの径方向外側には、ドーナツ板状をなし、その外縁が注出キャップ本体９に着座して連通口７ｅからの空気の流れを規制する空気弁８ｃが設けられている。
【００２４】
注出キャップ本体９は、図２に示すように中栓７及び逆止弁８を取り囲んで外層体５の口部５ａに装着される筒状の外周壁９ａを備えている。外周壁９ａの内面には、雄ねじ部５ｆに適合する雌ねじ部９ｂが設けられている。また外周壁９ａの内面は、図示したように空気弁８ｃが着座する部位でもある。そして注出キャップ本体９の上部内側には、基部８ａの上面に当接して逆止弁８を抜け止め保持する内部壁９ｃが設けられている。本実施形態の内部壁９ｃは、基部８ａに当接するドーナツ板状部分と、ドーナツ板状部分の外縁から起立して外周壁９ａに連結する外側筒状部分と、ドーナツ板状部分の内縁から起立する内側筒状部分とを一体に連結した形態をなすものである。更に基部８ａには、その外側筒状部分において溝部９ｄが設けられている。
【００２５】
ノズル１０は、注出キャップ本体９の上方に位置する頂壁１０ａを備えている。頂壁１０ａの下面には、筒状をなし基部８ａに嵌合保持される嵌合壁１０ｂが設けられている。また頂壁１０ａの上面には、筒状をなし、上端部に注出口１０ｃを有する注出筒１０ｄが設けられている。
【００２６】
なお、上述した中栓７、逆止弁８、注出キャップ本体９、ノズル１０によって構成される注出キャップ６は、注出キャップ本体９に対して中栓７、逆止弁８、及びノズル１０を保持しておくことができるため、これらを予め組み付けておくことによって１つの部材のようにして取り扱うことができる。
【００２７】
次に外ケース２について説明する。図１に示すように外ケース２は、本体カバー１１と、操作部材１２と、上部カバー１３で構成されている。
【００２８】
本体カバー１１は、外層体５よりも一回り大きな有底筒状をなすものであって、上部開口１１ａから二重容器１を収容することができる。ここで上部開口１１ａの内面には、雌ねじ部１１ｂが設けられている。また本体カバー１１には、外層体５の胴部５ｃに面する部位において、本体カバー１１の表裏を貫くとともに図示の例では縦長楕円状になる窓孔１１ｃが設けられている。本実施形態の窓孔１１ｃは、図３に示すように１つ設けられているが、数に限定はなく、複数設けてもよい。
【００２９】
操作部材１２は、外層体５の底部５ｄ近傍に位置し、外層体５を取り囲むとともに本体カバー１１の内側に収容される有底筒状の基部１２ａを備えている。また基部１２ａの上部には、一端部が基部１２ａに一体に連結する板状部１２ｂが設けられている。更に板状部１２ｂの他端部には、窓孔１１ｃよりも一回り小さく形成されるとともに、図３に示す如き、外面が窓孔１１ｃから外側に向けて膨出していて内面が外層体５の胴部５ｃに接する形態をなすボタン部１２ｃが設けられている。このように、ボタン部１２ｃは板状部１２ｂによって片持ち支持されているため、ボタン部１２ｃを外側から内側に向けて押圧すると、ボタン部１２ｃの内面で胴部５ｃを押圧しつつ、板状部１２ｂを弾性的に撓ませることができる。なお、本実施形態のボタン部１２ｃは、図３に示すように１つ設けられているが、数に限定はなく、例えば図３に仮想線で示すように反対側に更に１つ設けてもよい。
【００３０】
上部カバー１３は、概略筒状をなしていて、外層体５の肩部５ｂに沿って延在する形態となるものである。上部カバー１３の上部には、注出キャップ本体９を露出させる露出開口１３ａが設けられている。また露出開口１３ａの縁部には、上方に向けて立ち上がる上部カバー筒状壁１３ｂが設けられている。また上部カバー１３の下端部においてその外面には、雌ねじ部１１ｂに適合する雄ねじ部１３ｃが設けられている。
【００３１】
そしてオーバーキャップ３は、有蓋筒状をなすものであって、本実施形態では、上部が下部よりも大径になる形態としている。オーバーキャップ３は、上部カバー筒状壁１３ｂに対して着脱自在に保持されるものである。またオーバーキャップ３の下面には、図２に示すように注出筒１０ｄの内面に当接する環状のシール部３ａが設けられている。
【００３２】
そして、外ケース２に二重容器１を収容するにあたっては、図４に示すように、ボタン部１２ｃが窓孔１１ｃから現出するようにして操作部材１２を本体カバー１１に収容しておく。そして上部開口１１ａから本体カバー１１内に二重容器１を収容し、更に上部カバー１３を二重容器１に被せて、上部カバー１３を本体カバー１１に対して回転させる。これにより、雌ねじ部１１ｂに雄ねじ部１３ｃがねじ込まれて、上部カバー１３を本体カバー１１に装着することができる。
【００３３】
このようにして外ケース２に収容した二重容器１から内容物を注出させるには、図３に示すようにオーバーキャップ３を取り外した後、注出させる対象物に対してノズル１０を指向させる。そして、ボタン部１２ｃを押圧すると、それに伴い胴部５ｃも押圧されるため、外層体５と内層体４との相互間に形成される内部空間が加圧されて充填空間Ｓの圧力も高まることになる。これにより充填空間Ｓの内容物は、図２に示す注出弁８ｂを持ち上げつつ、注出キャップ本体９の内側を通って注出筒１０ｄの注出口１０ｃから注出される。このように、充填空間Ｓの内容物は内部空間の加圧によって注出されるため、二重容器１を何れの姿勢に変位させても内容物を注出させることができる。また、ボタン部１２ｃは板状部１２ｂに連結しているため、これを押圧した際の変位量はある程度の範囲に限られることになる。これにより、注出される内容物の量を所定の範囲に収めることができるため、内容物が意図せず過剰な量で注出される不具合を防止することができる。なお、上述した内部空間は通気口５ｅと通じていて、更に通気口５ｅは、連通口７ｅ、及び溝部９ｄを介して外界と通じているが、連通口７ｅと溝部９ｄの間には、注出キャップ本体９の外周壁９ａに着座する空気弁８ｃが設けられているため、ボタン部１２ｃを押圧した際に内部空間の空気が外界に漏れ出すことはない。
【００３４】
内容物を注出した後、ボタン部１２ｃへの押圧を解除すると、撓んでいた板状部１２ｂが復元するため、ボタン部１２ｃは元の位置へ復帰する。また、ボタン部１２ｃによって押圧されていた外層体５も、それ自身の可撓性によって復元しようとするため、上述した内部空間は減圧されることになる。ここで空気弁８ｃは、外周壁９ａに着座して内部空間から外界へ向かう空気の流れは遮断する一方、外周壁９ａから離反することによって、外界から内部空間へ向かう空気の流れは許容するものである。このため外界からの空気は、溝部９ｄ、連通口７ｅ、及び通気口５ｅを介して減圧下の内部空間に導入される。これにより、内層体４を減容変形させたまま、外層体５を復元させることができる。すなわち、内層体４においては、空気置換を行うことなく内容物を注出させることができるため、充填空間Ｓに収容した内容物の品質劣化を抑制することができる。
【００３５】
ところで内容物を使い切った後は、二重容器１を本体カバー１１から取り外すことができるため、内容物が充填されている新たな二重容器１に付け替えることができる。すなわち、内容物を使い切った後でも本体カバー１１、操作部材１２、上部カバー１３、及びオーバーキャップ３を再利用することができる。
【００３６】
更に、内容物を注出させるにあたってボタン部１２ｃを押圧しても、板状部１２ｂのみが撓み変形するだけで、外側から視認しうる本体カバー１１、操作部材１２のボタン部１２ｃ、及び上部カバー１３は変形しないため、オーバーキャップ３も含めて所望する加飾を施すことができる。また、これらの部材を形成するものとして硬質の材料を使用することも可能であるし、厚みを持たせることも可能である。このため、見映えのみならず、手にしたときの感触としても高い質感を奏することができる。
【００３７】
なお、上述した第一実施形態の外ケース付き二重容器にあっては、例えば図５〜図７に示すような構成を採用することも可能である。図５〜図７に示した第一実施形態の変形例にあっては、操作部材１２を廃止する一方、本体カバー１１に、前述のボタン部１２ｃと同様の形態になるボタン部１１ｄと、本体カバー１１よりも薄肉であって、一端部が窓孔１１ｃの縁部に一体に連結するとともに他端部がボタン部１１ｄの縁部に一体に連結する連結部１１ｅとを設けている。すなわち、ボタン部１１ｄは、本体カバー１１に対して弾性的に片持ち支持されている。
【００３８】
このような構成になる外ケース付き二重容器において、外ケース２に二重容器１を収容するにあたっては、図７に示すように、上部開口１１ａから本体カバー１１内に二重容器１を収容し、更に上部カバー１３を二重容器１に被せて、上部カバー１３を本体カバー１１に対して回転させればよい。
【００３９】
また、内容物を注出させるにあたっては、ボタン部１１ｄを押圧すればよく、本実施形態の外ケース付き二重容器でも先に説明した実施形態と同様にして使用することができる。
【００４０】
次に、図８〜図１１を参照しながら本発明に従う外ケース付き二重容器の第二実施形態について説明する。本実施形態の外ケース付き二重容器は、二重容器２１、外ケース２２、及びオーバーキャップ２３を備えている。
【００４１】
二重容器２１は、内層体２４、外層体２５、及び注出キャップ２６で構成されている。また注出キャップ２６は、中栓２７、逆止弁２８、注出キャップ本体２９で構成されている。そして外ケース２２は、本体カバー３１と、操作部材３２と、下部カバー３３で構成されている。なお、内層体２４は、前述の内層体４と同様の構成になるものであるので、説明を省略する。
【００４２】
外層体２５は、先に説明した口部５ａ、肩部５ｂ、胴部５ｃ、底部５ｄ、通気口５ｅ、雄ねじ部５ｆと同様の構成になる口部２５ａ、肩部２５ｂ、胴部２５ｃ、底部２５ｄ、通気口２５ｅ、雄ねじ部２５ｆを備えている（図９参照）。なお胴部２５ｃは、図８及び図１０に示すように、底部２５ｄの近傍における外径に対して上部の外径が小さくなるように形成されている。
【００４３】
そして図９に示すように中栓２７は、先に説明した天壁７ａ、筒状壁７ｂ、シール壁７ｃ、環状壁７ｄ、連通口７ｅと同様の構成になる天壁２７ａ、筒状壁２７ｂ、シール壁２７ｃ、環状壁２７ｄ、連通口２７ｅを備えている。
【００４４】
また逆止弁２８は、先に説明した基部８ａ、注出弁８ｂ、空気弁８ｃと同様の構成になる基部２８ａ、注出弁２８ｂ、空気弁２８ｃを備えている。
【００４５】
そして注出キャップ本体２９は、図９に示すように、中栓２７及び逆止弁２８を取り囲んで口部２５ａに装着される筒状の外周壁２９ａを備えていて、外周壁２９ａの内面には、雄ねじ部２５ｆに適合する雌ねじ部２９ｂが設けられている。なお外周壁２９ａは、空気弁２８ｃが着座して空気の流れを規制する機能の他、基部２８ａに当接して逆止弁２８を抜け止め保持する機能も備えている。また外周壁２９ａは、空気弁２８ｃが着座する部位よりも上方において、外周壁２９ａを貫く開口２９ｃを備えている。更に外周壁２９ａの中央部には、筒状をなし、上部を開口させて注出口２９ｄを形成する注出筒２９ｅが設けられている。更に外周壁２９ａの外面には、周方向に沿って延在する突起２９ｆが設けられている。
【００４６】
本体カバー３１は、外層体２５よりも一回り大きな有蓋筒状をなすものであって、下部開口３１ａから二重容器２１を収容することができる。なお、図９に示すように本体カバー３１の上部中央には、収容した二重容器２１の注出筒２９ｅを露出させる露出開口３１ｂが設けられている。更に本体カバー３１の上部外周面には、オーバーキャップ２３を保持するための雄ねじ部３１ｃが設けられていて、更に雄ねじ部３１ｃの下方には、図１０に示すように弾性片３１ｄが設けられている。なお、図９に示すように弾性片３１ｄの裏面には、突起２９ｆに係合する爪部３１ｅが設けられている。また、図８に示すように下部開口３１ａの外面には、雄ねじ部３１ｆが設けられている。更に本体カバー３１には、外層体２５の胴部２５ｃに面する部位において、縦長楕円状になる窓孔３１ｇが設けられている。
【００４７】
操作部材３２は、外層体２５の底部２５ｄ近傍に位置し、外層体２５を取り囲むとともに本体カバー３１の内側に収容される環状の基部３２ａを備えている。また基部３２ａの上部には、一端部が基部３２ａに一体に連結する板状部３２ｂが設けられている。更に板状部３２ｂの他端部には、窓孔３１ｇよりも一回り小さく形成されるとともに、図１０に示す如き、外面が窓孔３１ｇから外側に向けて膨出していて内面が胴部２５ｃに接する形態をなすボタン部３２ｃが設けられている。
【００４８】
下部カバー３３は、有底筒状をなしていて、その内周面には、雄ねじ部３１ｆに適合する雌ねじ部３３ａが設けられている。
【００４９】
またオーバーキャップ２３は、有蓋筒状をなすものであって、その外周面は全域に亘って略同径になるように形成されている。またオーバーキャップ２３の下面には、図９に示すように注出筒２９ｅの内面に当接する円柱状のシール部２３ａが設けられていて、その内周面には、雄ねじ部３１ｃに適合する雌ねじ部２３ｂが設けられている。
【００５０】
本実施形態において、外ケース２２に二重容器２１を収容するにあたっては、図１１に示すように、ボタン部３２ｃが窓孔３１ｇから現出するようにして操作部材３２を本体カバー３１に収容しておき、下部開口３１ａから本体カバー３１内に二重容器２１を収容する。この時、図９に示すように注出キャップ本体２９の突起２９ｆは、本体カバー３１の爪部３１ｅに係合するため、二重容器２１を外ケース２２に保持することができる。このため、二重容器２１から手を離しても、外ケース２２から二重容器２１が脱落してしまうことはない。その後は、本体カバー３１の下方から下部カバー３３を当てがい、本体カバー３１に対して下部カバー３３を回転させれば、雄ねじ部３１ｆに雌ねじ部３３ａがねじ込まれて、下部カバー３３を本体カバー３１に装着することができる。
【００５１】
このようにして外ケース２２に収容した二重容器２１から内容物を注出させるには、これまでに述べた実施形態と同様に、ボタン部３２ｃを押圧すればよい。またボタン部３２ｃへの押圧を解除すると、外界の空気は、弾性片３１ｄや窓孔３１ｇの周囲の隙間等から本体カバー３１内に取り込まれ、更に空気弁２８ｃを外周壁２９ａから離反させつつ、開口２９ｃ、連通口２７ｅを通って、通気口２５ｅから内層体２４と外層体２５の間の内部空間に導入される。従って、本実施形態にあっても、内層体２４を減容変形させたまま、外層体２５を復元させることができる。また本実施形態の本体カバー３１は、図８、図１０に示すように下部に対して上部を小径にして握りやすくしているため、安定的に保持することができる。
【００５２】
また、内容物を使い切った後は、下部カバー３３を本体カバー３１から取り外すことができるため、内容物が充填されている新たな二重容器２１に付け替えることができる。なお二重容器２１は、弾性片３１ｄの爪部３１ｅに突起２９ｆが係合していて外ケース２２に保持されているが、やや強めに外ケース２２から引き抜けば、弾性片３１ｄは外側に逃げるため、使用済みの二重容器２１を外ケース２２から取り外すことができる。
【００５３】
なお、上述した第二実施形態の外ケース付き二重容器にあっては、例えば図１２〜図１４に示すような構成を採用することも可能である。図１２〜図１４に示した第二実施形態の変形例にあっては、操作部材３２を廃止する一方、本体カバー３１に、前述のボタン部３２ｃと同様の形態になるボタン部３１ｈと、本体カバー３１よりも薄肉であって、一端部が窓孔３１ｇの縁部に一体に連結するとともに他端部がボタン部３１ｈの縁部に一体に連結する連結部３１ｊとを設けている。
【００５４】
このような構成になる外ケース付き二重容器において、外ケース２２に二重容器２１を収容するにあたっては、図１４に示すように、下部開口３１ａから本体カバー３１内に二重容器２１を収容し、更に本体カバー３１の下方から下部カバー３３を当てがって、本体カバー３１に対して下部カバー３３を回転させればよい。
【００５５】
また、内容物を注出させるにあたっては、ボタン部３１ｈを押圧すればよく、本実施形態の外ケース付き二重容器でもこれまでに説明した実施形態と同様にして使用することができる。
【００５６】
本発明に従う外ケース付き二重容器は、これまでに説明した実施形態に限られるものではなく、特許請求の範囲に従う範疇で種々の変更を加えたものも含まれる。例えば、上述した実施形態にあっては、本体カバーに窓孔を設けるとともに操作部材や本体カバーにボタン部を設けていたが、図１５に示すようにこのボタン部を省略して、窓孔１１ｃから外層体５の胴部５ｃを直接押圧できるように構成してもよい。また、図１６に示すように、胴部５ｃから外側に向けて突出し上述したボタン部と同様の形態になる凸部５ｇを設け、この凸部５ｇが窓孔１１ｃから現出するように構成してもよい。なお、図１５、図１６の実施形態では、図６に示すような、外ケースを本体カバーと上部カバーとで構成する例で示したが、図１３に示すような、外ケースを本体カバーと、下部カバーとで構成するようにしてもよい。また、注出キャップはこれまでに説明したものに限られず、注出弁の形態を球状にしたものなど、種々なタイプの注出キャップが採用可能である。また、外層体の口部に設けた通気口は、外層体の底部に設けてもよいし、胴部に設けてもよい。更に、本体カバーと上部カバー（下部カバー）との連結は、ねじによるものに限られず、例えばアンダーカットによって連結するようにしてもよい。
【符号の説明】
【００５７】
１：二重容器
２：外ケース
３：オーバーキャップ
３ａ：シール部
４：内層体
５：外層体
５ａ：口部
５ｂ：肩部
５ｃ：胴部
５ｄ：底部
５ｅ：通気口
５ｆ：雄ねじ部
５ｇ：凸部
６：注出キャップ
７：中栓
７ａ：天壁
７ｂ：筒状壁
７ｃ：シール壁
７ｄ：環状壁
７ｅ：連通口
８：逆止弁
８ａ：基部
８ｂ：注出弁
８ｃ：空気弁
９：注出キャップ本体
９ａ：外周壁
９ｂ：雌ねじ部
９ｃ：内部壁
９ｄ：溝部
１０：ノズル
１０ａ：頂壁
１０ｂ：嵌合壁
１０ｃ：注出口
１０ｄ：注出筒
１１：本体カバー
１１ａ：上部開口
１１ｂ：雌ねじ部
１１ｃ：窓孔
１１ｄ：ボタン部
１１ｅ：連結部
１２：操作部材
１２ａ：基部
１２ｂ：板状部（連結部）
１２ｃ：ボタン部
１３：上部カバー
１３ａ：露出開口
１３ｂ：上部カバー筒状壁
１３ｃ：雄ねじ部
２１：二重容器
２２：外ケース
２３：オーバーキャップ
２３ａ：シール部
２３ｂ：雌ねじ部
２４：内層体
２５：外層体
２５ａ：口部
２５ｂ：肩部
２５ｃ：胴部
２５ｄ：底部
２５ｅ：通気口
２５ｆ：雄ねじ部
２６：注出キャップ
２７：中栓
２７ａ：天壁
２７ｂ：筒状壁
２７ｃ：シール壁
２７ｄ：環状壁
２７ｅ：連通口
２８：逆止弁
２８ａ：基部
２８ｂ：注出弁
２８ｃ：空気弁
２９：注出キャップ本体
２９ａ：外周壁
２９ｂ：雌ねじ部
２９ｃ：開口
２９ｄ：注出口
２９ｅ：注出筒
２９ｆ：突起
３１：本体カバー
３１ａ：下部開口
３１ｂ：露出開口
３１ｃ：雄ねじ部
３１ｄ：弾性片
３１ｅ：爪部
３１ｆ：雄ねじ部
３１ｇ：窓孔
３１ｈ：ボタン部
３１ｊ：連結部
３２：操作部材
３２ａ：基部
３２ｂ：板状部（連結部）
３２ｃ：ボタン部
３３：下部カバー
３３ａ：雌ねじ部
Ｓ：充填空間 
【図１】
2018172153.tif 000003
【図２】
2018172153.tif 000004
【図３】
2018172153.tif 000005
【図４】
2018172153.tif 000006
【図５】
2018172153.tif 000007
【図６】
2018172153.tif 000008
【図７】
2018172153.tif 000009
【図８】
2018172153.tif 000010
【図９】
2018172153.tif 000011
【図１０】
2018172153.tif 000012
【図１１】
2018172153.tif 000013
【図１２】
2018172153.tif 000014
【図１３】
2018172153.tif 000015
【図１４】
2018172153.tif 000016
【図１５】
2018172153.tif 000017
【図１６】
2018172153.tif 000018